(57)【特許請求の範囲】
【請求項１】
電装部と熱交換器と冷却回路とを含み、前記冷却回路を循環する冷媒と被除湿流体との間で熱交換をすることにより前記被除湿流体を冷却してその除湿を図る除湿装置において、
前記電装部を構成する部品群と、同電装部を構成しない部品群とをそれぞれブロック化し、それらを各ブロック毎に分けて配置し、前記各ブロックは、前記電装部を構成する部品群からなるブロックを、前記電装部を構成しない部品群からなるブロックよりも上層となるような階層構造をとるように配置されていることを特徴とした除湿装置。
【請求項２】
電装部と熱交換器と冷却回路とを含み、前記冷却回路を循環する冷媒と被除湿流体との間で熱交換をすることにより前記被除湿流体を冷却してその除湿を図る除湿装置において、
前記電装部を構成する部品群と、前記熱交換器を構成する部品群と、前記冷却回路を構成する部品群とをそれぞれブロック化し、それらを各ブロック毎に分けて配置し、前記各ブロックは、前記電装部を構成する部品群からなるブロックを、前記熱交換器を構成する部品群からなるブロック及び前記冷却回路を構成する部品群からなるブロックよりも上層となるような階層構造をとるように配置されていることを特徴とした除湿装置。
【請求項３】
前記冷却回路を構成する部品群には、前記冷媒が流れる凝縮器本体と、前記凝縮器本体を空冷する空冷手段と、前記空冷手段を駆動する駆動手段とを備える凝縮器と、その凝縮器の上流側において前記冷媒を圧縮する圧縮機とが含まれることを特徴とした請求項２に記載の除湿装置。
【請求項４】
前記熱交換器を構成する部品群には、前記冷媒との間での熱交換前に前記被除湿流体をあらかじめ冷却する予冷手段と、前記予冷手段と隣接して配置されるとともに、前記冷媒との間での熱交換後に前記被除湿流体を再び加熱する再熱手段とが含まれることを特徴とした請求項２または３に記載の除湿装置。
【請求項５】
前記電装部を構成する部品群からなるブロックと、少なくとも他のブロックとの間には、仕切り壁が設けられていることを特徴とする請求項１乃至４のいずれか１項に記載の除湿装置。
【請求項６】
前記各ブロックは、前記電装部を構成する部品群からなるブロックを最上層とし、前記熱交換器を構成する部品群からなるブロックを中間層とし、前記冷却回路を構成する部品群からなるブロックを最下層とした３層からなる階層構造をとるように配置されていることを特徴とする請求項２乃至５のいずれか１項に記載の除湿装置。
【発明の詳細な説明】
【０００１】
【発明の属する技術分野】
本発明は除湿装置に関するものである。
【０００２】
【従来の技術】
エアシリンダ等のような気体の圧力を利用したアクチュエータを駆動させる場合には、圧縮空気中に含まれる水分を充分に除去しておくことが必要になる。そのため、圧縮空気供給源とエアシリンダとの間には、一般的に除湿装置が介在されることが多い。
【０００３】
このような除湿装置の一種としては、例えば冷凍回路を循環する冷媒と圧縮空気との間で熱交換をすることにより、圧縮空気を冷却してその除湿を図る除湿装置が知られている。冷凍回路は、凝縮器本体とファンとファンモータとからなる凝縮器、圧縮機、キャピラリチューブ、アキュムレータ、冷凍通路等により構成される。上記のような冷凍回路のほかに、除湿装置は熱交換器や電装部を備えている。熱交換器は冷媒と圧縮空気との間で熱交換を行うためのものであり、予冷管や再熱管等を備えている。電装部は冷凍回路や熱交換器を電気的に制御するためのものであって、回路基板とそれに実装された各種の電気部品等とからなる。
【０００４】
【発明が解決しようとする課題】
ところが、従来の除湿装置では、機能の異なる各種の部品が雑然と混在した状態でカバー内に収容されていたため、以下のような問題があった。
【０００５】
１）熱交換器等のように冷却される機器の外表面には結露が生じやすい。そして、このような結露は、電装部を構成する電気部品に付着することにより、漏電等の電気的不具合を引き起こすおそれがある。
【０００６】
２）凝縮器や圧縮機は発熱源であるため、その周囲にある他の部品の温度が加熱されやすい。従って、その周囲に電装部があると性能低下や劣化等の電気的不具合を招き、熱交換器があると熱交換効率の悪化を招いてしまう。ゆえに、これらの発熱源からは効率よく熱が排出されるべきと考えられている。
【０００７】
３）鉄粉等のような粉塵の多い環境下で使用した場合には、ファンモータの駆動により粉塵がカバー内部に取り込まれるため、電気部品にそれらが付着することで電気的不具合をおこすおそれがある。
【０００８】
本発明は上記の事情に鑑みてなされたものであり、その目的は、各種の電気的不具合が起こりにくくしかも熱交換効率に優れた除湿装置を提供することにある。
【０００９】
【課題を解決するための手段】
上記の課題を解決するために、請求項１に記載の発明では、電装部と熱交換器と冷却回路とを含み、前記冷却回路を循環する冷媒と被除湿流体との間で熱交換をすることにより前記被除湿流体を冷却してその除湿を図る除湿装置において、前記電装部を構成する部品群と、同電装部を構成しない部品群とをそれぞれブロック化し、それらを各ブロック毎に分けて配置し、前記各ブロックは、前記電装部を構成する部品群からなるブロックを、前記電装部を構成しない部品群からなるブロックよりも上層となるような階層構造をとるように配置されていることを特徴とした除湿装置をその要旨とする。
【００１０】
請求項２に記載の発明では、電装部と熱交換器と冷却回路とを含み、前記冷却回路を循環する冷媒と被除湿流体との間で熱交換をすることにより前記被除湿流体を冷却してその除湿を図る除湿装置において、前記電装部を構成する部品群と、前記熱交換器を構成する部品群と、前記冷却回路を構成する部品群とをそれぞれブロック化し、それらを各ブロック毎に分けて配置し、前記各ブロックは、前記電装部を構成する部品群からなるブロックを、前記熱交換器を構成する部品群からなるブロック及び前記冷却回路を構成する部品群からなるブロックよりも上層となるような階層構造をとるように配置されていることを特徴とした除湿装置をその要旨とする。
【００１１】
請求項３に記載の発明は、請求項２において、前記冷却回路を構成する部品群には、前記冷媒が流れる凝縮器本体と、前記凝縮器本体を空冷する空冷手段と、前記空冷手段を駆動する駆動手段とを備える凝縮器と、その凝縮器の上流側において前記冷媒を圧縮する圧縮機とが含まれるとした。
【００１２】
請求項４に記載の発明では、請求項２または３において、前記熱交換器を構成する部品群には、前記冷媒との間での熱交換前に前記被除湿流体をあらかじめ冷却する予冷手段と、前記予冷手段と隣接して配置されるとともに、前記冷媒との間での熱交換後に前記被除湿流体を再び加熱する再熱手段とが含まれるとした。
【００１３】
請求項５に記載の発明では、請求項１乃至４のいずれか１項において、前記電装部を構成する部品群からなるブロックと、少なくとも他のブロックとの間には、仕切り壁が設けられているとした。
【００１５】
請求項６に記載の発明では、請求項２乃至５のいずれか１項において、前記各ブロックは、前記電装部を構成する部品群からなるブロックを最上層とし、前記熱交換器を構成する部品群からなるブロックを中間層とし、前記冷却回路を構成する部品群からなるブロックを最下層とした３層からなる階層構造をとるように配置されているとした。
【００１６】
以下、本発明の「作用」について説明する。
請求項１に記載の発明によると、電装部を構成する部品群からなるブロックは、電装部を構成しない部品群からなるブロックと分けて配置されているため、結露を生じる部品群から離間した状態となる。従って、電装部を構成する部品群に対する結露の付着が回避され、漏電等の電気的不具合が起こりにくくなる。
【００１７】
また、電装部を構成する部品群は、発熱源となる部品群からも離間した状態となるため、熱の影響を受けにくくなり、もって電装部の性能低下や劣化等の電気的不具合が起こりにくくなる。
【００１８】
請求項２に記載の発明によると、電装部を構成する部品群からなるブロックは、熱交換器を構成する部品群からなるブロックと分けて配置されているため、いわば結露を生じる部品群から離間した状態となる。従って、電装部を構成する部品群に対する結露の付着が回避され、漏電等の電気的不具合が起こりにくくなる。
【００１９】
また、電装部を構成する部品群は、冷却回路を構成する部品群からなるブロックと分けて配置されているため、いわば発熱源となる部品群からも離間した状態となる。従って、電装部を構成する部品群が熱の影響を受けにくくなり、もって電装部の性能低下や劣化等の電気的不具合が起こりにくくなる。また、粉塵の多い環境下で使用した場合でも、電装部を構成する部品群に粉塵が付着することはないため、それによる電気的不具合の発生も回避される。
【００２０】
これに加えて、冷却回路を構成する部品群からなるブロックと、熱交換器を構成する部品群からなるブロックとが分けて配置されているため、熱交換器が熱の影響を受けにくくなり、熱交換効率も確実に向上する。また、冷却回路を構成する部品群のなかに発熱源が複数あったとしても、ブロック化によって前記発熱源が一塊になるため、装置の外部に効率よく熱を排出することが可能となる。
請求項１及び２に記載の発明によると、電装部を構成する部品群からなるブロックが最上層に配置されているため、他のブロックにおいて発生した結露が滴下して害を及ぼすという心配が皆無である。従って、漏電等による電気的不具合の発生が確実に回避される。さらに、階層構造であると装置全体の省スペース化が図られる。
【００２１】
請求項３に記載の発明によると、発熱源となる駆動手段及び圧縮機は同じブロックに属しており、かつそれらは他のブロックを構成する部品群と離間した状態となっている。従って、同じブロックに属する空冷手段を駆動することにより、それらの熱は装置の外部に効率よく排出される。ゆえに、周囲のブロックに与える熱の影響をより受けにくくすることができる。このため、電気的不具合の発生がより起こりにくくなり、かつ熱交換効率がより向上する。
【００２２】
請求項４に記載の発明によると、同じブロックに属する予冷手段と再熱手段とは互いに隣接しており、かつそれらは他のブロックを構成する部品群と離間した状態となっている。従って、予冷手段及び再熱手段は互いの熱を利用することができ、熱交換効率のさらなる向上が図られる。
【００２３】
請求項５に記載の発明によると、電装部を構成する部品群からなるブロックと他のブロックとが仕切り壁によって隔離されることで、電装部を構成する部品群が熱、結露、塵埃等から受ける影響は、極めて小さくなる。このため、電気的不具合の発生が確実に回避され、かつ熱交換効率がよりいっそう向上する。
【００２５】
請求項６に記載の発明によると、電装部を構成する部品群からなるブロックが最上層に配置されているため、他のブロックにおいて発生した結露が滴下して害を及ぼすという心配が皆無である。従って、漏電等による電気的不具合の発生が確実に回避される。また、熱交換器を構成する部品群からなるブロックがあることによって、電装部を構成する部品群からなるブロックと発熱源となる部品が属しているブロックとの離間距離が大きくなる。ゆえに、電装部を構成する部品群が熱、結露、塵埃等から受ける影響は、前記ブロック同士が近接している場合に比べて確実に小さくなる。このため、電気的不具合の発生が確実に回避され、かつ熱交換効率がよりいっそう向上する。さらに、階層構造であると装置全体の省スペース化が図られる。
【００２６】
【発明の実施の形態】
以下、本発明を具体化した一実施形態の冷凍式除湿装置を図１，図２に基づき詳細に説明する。
【００２７】
図１，図２に示すように、本実施形態の冷凍式除湿装置１を構成するカバー４内には、冷却回路としての冷凍回路Ｒが収容されている。
ここで冷凍回路Ｒの構成について説明する。冷凍回路Ｒは、圧縮機としてのコンプレッサ５を備えている。コンプレッサ５にはコンプレッサ駆動モータ６が連結されている。コンプレッサ駆動モータ６は図示しない電源に接続されている。コンプレッサ駆動モータ６を駆動すると、コンプレッサ５が作動して、冷媒ガスが圧縮される。なお、ここで冷媒とは、水、フロン、代替フロン等といった冷却媒体のことをいう。
【００２８】
コンプレッサ５の上流側にはアキュムレータ８が組み付けられている。アキュムレータ８は、液状の冷媒のみを一旦保持する役割を果たす。従って、冷媒ガスのみが下流にあるコンプレッサ５に供給される。
【００２９】
この冷却回路Ｒは、凝縮器としてのコンデンサ９を備えている。コンデンサ９を構成する凝縮器本体としてのコンデンサ本体９ａは、コンプレッサ５の下流側に接続されている。コンデンサ本体９ａ内には冷媒ガスが流れている。同コンデンサ９は、コンデンサ本体９ａに加えて、空冷手段としてのファン１０と、駆動手段としてのファンモータ１１とを備えている。ファン１０は、コンデンサ本体９ａの背面側に近接して配置されている。ファンモータ１１は図示しない電源に接続されており、ファン１０を所定回転数で回転駆動する。ファン１０が回転すると、装置１の周囲にある外気がカバー４内に取り込まれる。このとき、外気は図２の左側面にあるフィルタＦ1 から右側面にあるエアダクトＤ1 に向かって横方向に流れる。すると、外気の流れの途中にあるコンデンサ本体９ａが全体的に空冷される結果、その内部を流れる圧縮冷媒ガスが冷却されかつ液化する。
【００３０】
コンデンサ９の下流側にはフィルタドライヤ１２が組み付けられている。このフィルタドライヤ１２にはフィルタと乾燥剤とが内蔵されている。フィルタドライヤ１２は、流路内の塵埃や水分等を除去する役割を果たす。
【００３１】
フィルタドライヤ１２の下流側には、減圧作用をなすキャピラリチューブ１３が組み付けられている。キャピラリチューブ１３は自身を通過する液状の冷媒を減圧する。
【００３２】
キャピラリチューブ１３の下流側には冷凍通路１４が接続されている。この冷凍通路１４は蛇行するように形成されている。放熱効果の向上を目的として、前記冷凍通路１４の外表面には多数のフィン１４ａが取り付けられている。冷凍通路１４の下流側は前記アキュムレータ８に接続されている。
【００３３】
そして、これらのアキュムレータ８、コンプレッサ５、コンデンサ本体９ａ、フィルタドライヤ１２、キャピラリチューブ１３及び冷凍通路１４という部品群によって、冷凍回路Ｒの主流路Ｒ1 が形成されている。
【００３４】
前記主流路Ｒ1 には迂回流路Ｒ2 が接続されている。迂回流路Ｒ2 の一端はコンプレッサ５とコンデンサ本体９ａとの間に接続され、他端はキャピラリチューブ３と冷凍回路１４との間に接続されている。この迂回流路Ｒ2 には容量調整弁１５が設けられている。容量調整弁１５を開閉制御すると、迂回流路Ｒ2 が連通連通状態または遮断状態のいずれかに切り換えられる。
【００３５】
次に、被除湿流体回路Ｓの構成について説明する。被除湿流体回路Ｓの上流側には被除湿流体としての圧縮空気を供給するためのエアコンプレッサ１６が接続され、下流側にはエアシリンダ等のアクチュエータが接続される。圧縮空気は被除湿流体流路Ｓを通過することにより除湿される。
【００３６】
エアコンプレッサ１６には空気供給管１７が接続されている。空気供給管１７は、予冷・再熱室２内において、予冷手段としての予冷管１８に接続されている。この予冷管１８は蛇行して形成されている。予冷管１８の下流側には、予冷・再熱室２の下方に位置する冷却室３内の冷却通路１９が接続されている。冷却通路１９内には冷却回路Ｒ1 の一部をなす冷凍通路１４が存在している。冷却通路１９内を通過する高温多湿な圧縮空気は、その冷凍通路１４に接触する。その結果、圧縮空気と冷媒との間で熱交換が行われ、圧縮空気が冷やされる。
【００３７】
前記冷却通路１９の下流側には、接続通路２１を介して再熱手段としての再熱管２２が接続されている。再熱管２２は予冷管１８に隣接して配置されており、予冷管１８と同様に蛇行して形成されている。再熱管２２の下流側には、予冷・再熱室２の外部に設けられた空気取出管２３が接続されている。
【００３８】
冷却室３の外部において前記接続通路２１の途中には、ドレンセパレータ２４が接続されている。このドレンセパレータ２４からは、ドレン排出管２５が引き出されている。ドレンセパレータ２４は、冷却室３内において発生した水分を圧縮空気から分離する。ドレン排出管２５は途中で２本に分岐しており、その一方にはドレンバルブ２６が設けられ、他方には手動コック２７が設けられている。従って、ドレンバルブ２６または手動コック２７を開くことにより、ドレンセパレータ２４により分離された水分がドレンとして外部に排出される。
【００３９】
本実施形態では、空気供給管１７、予冷管１８、冷却通路１９、接続通路２１、ドレンセパレータ２４、再熱管２２及び空気取出管２３により被除湿流体回路Ｓが形成されている。また、これらの部品１７，１８，１９，２１，２２，２３，２４に加え、冷凍通路１４、ドレン排出管２５、ドレンバルブ２６及び手動コック２７という部品群によって、熱交換器２０が構成されている。なお、冷凍通路１４は冷凍回路Ｒの一部ではあるが、その機能を考慮するとむしろ熱交換器２０の一部としても把握されるべきものである。
【００４０】
次に、電装部３１の構成について説明する。本実施形態の電装部３１は、回路基板３２と、その回路基板３２上に実装された各種の電子部品３３や電気部品３４によって構成されている。前記電装部３１には、コンプレッサ駆動モータ６、ファンモータ１１、ドレンバルブ２６等の部品などが電気的に接続されている。これらの部品６，１１，２６は、前記電装部３１によって電気的に制御されるようになっている。
【００４１】
続いて、この冷凍式除湿装置１における各部品の配置について述べる。
図１，図２に示されるように、この冷凍式除湿装置１では各部品を機能別にそれぞれブロック化している。ここでは前記ブロックはＢ1 ，Ｂ2 ，Ｂ3 の３つである。第１のブロックＢ1 は、電装部３１を構成する部品群からなるブロックＢ1 である。第２のブロックＢ2 は、熱交換器２０を構成する部品群からなるブロックＢ2 である。第３のブロックＢ3 は、冷凍回路Ｒを構成する部品群からなるブロックＢ3 である。そして、各ブロックＢ1 ，Ｂ2 ，Ｂ3 は、カバー４内において個別に分けて配置されている。また、第２のブロックＢ2 については、各部品が発泡樹脂等の断熱材２８によって一体的に保持されている。
【００４２】
カバー４は図示しない複数枚のパネルからなるものであって、フレーム４０に対して被せられる。また、前記フレーム４０は、底板４３、４本の支柱４４、第１の仕切り壁４１、第２の仕切り壁４２及び上部支持枠４５等によって構成されている。底板４３は矩形状であり、各支柱４４の下端はその底板４３の四隅に固着されている。各支柱４４はともに垂直方向に延びている。上部支持枠４５は略コ字状であって、各支柱４４の上端に固着されている。第１及び第２の仕切り壁４１，４２は、各支柱４４によってともに水平に支持されている。第１の仕切り壁４１は第２の仕切り壁４２よりも上方に位置している。これらの仕切り壁４１，４２は、本実施形態では平坦な金属板である。
【００４３】
カバー４をフレーム４０に被せた場合には、最上層収容空間、中間層部収容空間及び最下層収容空間の３つが階層的に区画形成される。最上層収容空間は、第１の仕切り壁４１の上側面と図示しない上部パネルの下側面との間に位置する。中間層収容空間は、第１の仕切り壁４１の下側面と第２の仕切り壁４２の上側面との間に位置する。最下層収容空間は、第２の仕切り壁４２の下側面と底板４３の上側面との間に位置する。
【００４４】
そして、最上層収容空間には、電装部３１を構成する部品群（即ち回路基板３２や電子部品３３や電気部品３４）からなる第１のブロックＢ1 が配置されている。
【００４５】
中間層収容空間には、熱交換器２０を構成する部品群（即ち予冷管１８、再熱管２２、ドレンセパレータ２４等）からなる第２のブロックＢ2 が配置されている。最下層収容空間には、冷却回路Ｒを構成する部品群（即ちコンプレッサ５、コンプレッサ駆動モータ６、コンデンサ本体９ａ、ファン１０、ファンモータ１１、キャピラリチューブ１３等）からなる第３のブロックＢ3 が配置されている。
【００４６】
つまり、本実施形態においては第１のブロックＢ1 を最上層とし、第２のブロックＢ2 を中間層とし、第３のブロックＢ3 を最下層とした３層からなる階層構造をとるように、各ブロックＢ1 ，Ｂ2 ，Ｂ3 が配置されている。
【００４７】
さて、以下に本実施形態において特徴的な作用効果を列挙する。
（イ）本実施形態の冷凍式除湿装置１では、電装部３１を構成する部品群からなる第１のブロックＢ1 は、熱交換器２０を構成する部品群からなる第２のブロックＢ2 と分けて配置されている。このため、電装部３１を構成する回路基板３２、電子部品３３及び電気部品３４は、結露を生じる部品、例えば予冷・再熱室２や冷却室３などから離間した状態となる。従って、回路基板３２、電子部品３３及び電気部品３４に対する結露の付着が回避され、漏電等の電気的不具合が起こりにくくなる。
【００４８】
（ロ）また、第１のブロックＢ1 は、冷凍回路Ｒを構成する部品群からなる第３のブロックＢ3 とも分けて配置されている。このため、回路基板３２、電子部品３３及び電子部品３４は、発熱源となる部品、例えばコンプレッサ駆動モータ６やファンモータ１１等からも離間した状態となる。従って、回路基板３２、電子部品３３及び電気部品３４が熱の影響を受けにくくなり、もって電装部３１の性能低下や劣化等の電気的不具合が起こりにくくなる。また、粉塵の多い環境下で使用した場合でも、回路基板３２、電子部品３３及び電気部品３４に粉塵が付着することはないため、それによる電気的不具合の発生も回避される。
【００４９】
（ハ）これに加えて、冷凍回路Ｒを構成する部品群からなる第３のブロックＢ3 、熱交換器２０を構成する部品群からなる第２のブロックＢ2 も、各々に分けて配置されている。そのため、熱交換器２０がファンモータ１１等による熱の影響を受けにくくなり、これに伴って熱交換効率も確実に向上する。また、冷凍回路Ｒを構成する部品群に発熱源が複数あったとしても、ブロック化によって発熱源が一塊となるため、装置１の外部に効率よく熱を排出することが可能となる。
【００５０】
即ち、発熱源となるコンプレッサ駆動モータ６及びファンモータ１１は同じ第３のブロックＢ3 に属している。従って、同じ第３のブロックＢ3 に属するファン１０を回転駆動することにより、それらの熱はエアダクトＤ1 を介して装置１の外部に効率よく排出されるからである。
【００５１】
（ニ）本実施形態の冷凍式除湿装置１では、同じ第２のブロックＢ2 に属する予冷管１８と再熱管２２とを互いに隣接して配置している。このため、予冷管１８及び再熱管２２は互いの熱を利用することができ、このことにより熱交換効率のさらなる向上が図られている。
【００５２】
（ホ）この冷凍式除湿装置１では、各ブロックＢ1 〜Ｂ3 は３層からなる階層構造をとるように配置され、特に第１のブロックＢ1 はその最上層に位置している。それゆえ、他のブロックＢ2 ，Ｂ3 において発生した結露が滴下して、第１のブロックＢ1 に属する電気部品３４等に害を及ぼすという心配が皆無である。従って、漏電等による電気的不具合の発生が確実に回避される。
【００５３】
また、第１のブロックＢ1 と第３のブロックＢ3 との間には第２のブロックＢ2 が介在されているため、回路基板３２、電子部品３３及び電気部品３４と、発熱源となるファンモータ１１等の部品との離間距離が大きく確保される。ゆえに、回路基板３２、電子部品３３及び電気部品３４が熱、結露、塵埃等から受ける影響は、ブロックＢ1 ，Ｂ2 同士が近接している場合に比べて確実に小さくなる。このため、電気的不具合の発生が確実に回避され、かつ熱交換効率がよりいっそう向上する。さらに、階層構造であると装置１全体の省スペース化が図られる。
【００５４】
（ヘ）この冷凍式除湿装置１の構成であると、例えば故障が起きたときでもブロックＢ1 ，Ｂ2 ，Ｂ3 毎に部品を交換することができる。また、装置１の内部が従来に比べて整然とする。以上の結果、メインテナンス性が確実に向上する。
【００５５】
なお、本発明は上記実施形態に限定されることはなく、例えば次のような別の形態に変更することが可能である。
◎  図５（ａ）に示される別例の冷凍式除湿装置５１のようにしてもよい。この装置５１も階層構造を備えていて、第３のブロックＢ3 が中間層に配置され、第２のブロックＢ2 が最下層に配置されている。なお、この別例では各ブロックＢ1 〜Ｂ3 は仕切り壁４１，４２により隔離されている。
【００５６】
◎  第１のブロックＢ1 は必ずしも最上層に配置されなくてもよい。例えば、図５（ｂ）に示される別例の冷凍式除湿装置５２のように、第２のブロックＢ2 を最上層に配置する代わりに、第１のブロックＢ1 を中間層に配置することもできる。なお、この別例では各ブロックＢ1 〜Ｂ3 は仕切り壁４１，４２により隔離されている。
【００５７】
◎  図５（ｃ）に示される別例の冷凍式除湿装置５３では階層構造が採用されておらず、第２のブロックＢ2 と第３のブロックＢ3 とが同じ層に（横置きに）配置されている。従って、それらＢ2 ，Ｂ3 を隔離する仕切り壁４２は水平ではなく、垂直に形成されている。
【００５８】
◎  図５（ｄ）に示される別例の冷凍式除湿装置５４では、３層からなる階層構造が採用されてはいるものの、第２の仕切り壁４２が省略されかつ第１の仕切り壁４１のみが設けられている。即ち、仕切り壁４１，４２のうちの片方、または両方を省略した構成を採用することも可能である。ただし、このような構成を採る場合には、少なくとも第１のブロックＢ1 を最上層に配置しておく必要がある。なお、図５（ｆ）には、仕切り壁４１，４２の両方を省略した冷凍式除湿装置５６が示されている。
【００５９】
◎  本発明は３層からなる階層構造のみに限定されることはない。例えば、図５（ｅ）に示される別例の冷凍式除湿装置５５では、新たに第４のブロックＢ4 を追加したことにより、４層からなる階層構造となっている。勿論、２層でもよく、５層以上でもよい。
【００６０】
◎  図５（ｇ）に示される別例の冷凍式除湿装置５７では、階層構造が採用されておらず、各ブロックＢ1 ，Ｂ2 ，Ｂ3 がその順序で水平方向に並んで配置されている。なお、この別例では各ブロックＢ1 〜Ｂ3 は仕切り壁４１，４２により隔離されている。
【００６１】
◎  空冷手段であるファン１０に代えて、例えば水冷手段を用いてもよい。この場合、前記ファンモータ１１を省略するとともに、その代わりに冷却水の水量・水温等を調整する調整手段を設けることがよい。
【００６２】
◎  本発明は実施形態において例示した冷凍式除湿装置１に限定されることはなく、冷凍式ではない他の冷却方式を用いた除湿装置に具体化されてもよい。
◎  本発明は実施形態において例示した冷凍式除湿装置１以外の冷凍式機器についても同様に具体化されることができる。
【００６３】
ここで、特許請求の範囲に記載された技術的思想のほかに、前述した実施形態によって把握される技術的思想をその効果とともに以下に列挙する。
（１）前記熱交換器を構成する部品群からなるブロックと、前記冷却回路を構成する部品群からなるブロックとの間にも、仕切り壁を設けたことを特徴とする除湿装置。この構成であると、熱交換効率をより確実に向上させることができる。
【００６４】
（２）技術的思想１において、前記仕切り壁は金属板であることを特徴とする除湿装置。
（３）技術的思想１，２において、前記各ブロックはカバー内に収容されていることを特徴とする除湿装置。この構成であると、塵埃等の付着等をより確実に回避することができる。
【００６５】
なお、本明細書中において使用した技術用語を次のように定義する。
「被除湿流体：  本装置により湿気が除去される流体であって、窒素、酸素、ヘリウム、二酸化炭素、アルゴン等のような気体や、その混合物である空気などをいう。」
【００６６】
【発明の効果】
以上詳述したように、請求項１に記載の発明によれば、各種の電気的不具合が起こりにくい除湿装置を提供することができる。
【００６７】
請求項２に記載の発明によれば、各種の電気的不具合が起こりにくくしかも熱交換効率に優れた除湿装置を提供することができる。
請求項１及び２に記載の発明によれば、漏電等による電気的不具合の発生を確実に回避することができるとともに、階層構造であるため装置全体の省スペース化を図ることができる。
請求項３に記載の発明によれば、電気的不具合の発生がより起こりにくくなり、かつ熱交換効率がより向上する。
【００６８】
請求項４に記載の発明によれば、予冷手段及び再熱手段は互いの熱を利用することができるため、熱交換効率のさらなる向上を図ることができる。
請求項５に記載の発明によれば、仕切り壁によってブロック同士が隔離されることから、電気的不具合の発生を確実に回避することができるとともに、かつ熱交換効率をよりいっそう向上させることができる。
【図面の簡単な説明】
【図１】本発明を具体化した一実施形態の冷凍式除湿装置においてカバーを取り外したときの状態を示す斜視図。
【図２】同じく冷凍式除湿装置を示す概略断面図。
【図３】（ａ）〜（ｇ）は別例の冷凍式除湿装置を概略的に示した図。
【符号の説明】
１，５１，５２，５３，５４，５５，５６，５７…除湿装置としての冷凍式除湿装置、５…圧縮機としてのコンプレッサ、９…凝縮器としてのコンデンサ、９ａ…冷却回路を構成する部品である凝縮器本体としてのコンデンサ本体、１０…冷凍回路を構成する部品である空冷手段としてのファン、１１…冷却回路を構成する部品である駆動手段としてのファンモータ、１８…熱交換器を構成する部品である予冷手段としての予冷管、２０…熱交換器、２２…熱交換器を構成する部品である再熱手段としての再熱管、３１…電装部、３２…電装部を構成する部品である回路基板、３３…電装部を構成する部品である電子部品、３４…電装部を構成する部品である電気部品、４１，４２…仕切り壁、Ｂ1 ，Ｂ2 ，Ｂ3 ，Ｂ4 …ブロック、Ｒ…冷却回路としての冷凍回路。
【図１】
0003987154.tif 000002
【図２】
0003987154.tif 000003
【図３】
0003987154.tif 000004